(57)【特許請求の範囲】
【請求項１】
レーザープリンターまたはコピー機のトナーカートリッジに自動的にトナーを供給するトナー自動供給装置（Ａ）において、
前記トナー自動供給装置（Ａ）は、
詰め替えトナーを貯蔵するトナー貯蔵筒（１）と、
前記トナー貯蔵筒（１）を内装する外筒（２）と、
前記トナー貯蔵筒（１）に貯蔵されたトナーをトナーカートリッジ（５）に供給するトナー供給手段（３）と、
前記トナー貯蔵筒（１）の下部に連結されて、前記トナー供給手段（３）によってトナーを前記トナーカートリッジ（５）に送るトナー供給ホース（４）とで構成され、
前記トナー供給手段（３）は、
内部に空気が供給されると膨張し、空気が排出されると収縮して、下部にあるトナーがカートリッジの方に押されて入るか、上部にあるトナーが下部に補充される役割を果たすバルーン（３１）と、
前記バルーン（３１）に空気を供給する空気ポンプ（３２）と、
前記バルーン（３１）と空気ポンプ（３２）とを連結する空気配管（３３）と、
前記トナーカートリッジ（５）から送られた信号を受けて、前記トナー供給手段（３）を制御するコントローラー（３５１）を含む制御部（３５）とで構成される構造であり、
前記トナーカートリッジ（５）にはトナー残量センサーが設置され、トナーの不足が感知されると、前記コントローラー（３５１）に初期入力された回数だけ前記バルーン（３１）が膨張と収縮を繰り返して前記トナーカートリッジ（５）にトナーを供給する構造であることを特徴とするトナーカートリッジに自動的にトナーを供給する装置。
【請求項２】
前記外筒（２）は、
外筒（２）の骨格を成す本体（２１）と、
前記外筒（２）の上部を開閉することができる蓋（２２）と、
前記本体（２１）を支持する底板（２３）とで構成され、
前記トナー貯蔵筒（１）は、
大部分のトナーが貯蔵されるメインボディ（１１）と、
前記メインボディ（１１）の下部と結合されたガイド（１２）であって、前記バルーン（３１）が前記ガイド（１２）の内部に設置され、前記ガイド（１２）の下部はトナーが容易に下方に移動することができるように、トナーの安息角以上の角度を成すコーン（１２１）で構成され、前記ガイド（１２）の上部は円筒状に構成され、前記バルーン（３１）の膨脹によって前記バルーン（３１）の下部にあるトナーが前記トナーカートリッジ（５）側に押されて入る前記ガイド（１２）とで構成され、
前記メインボディ（１１）の上部にはトナーを補うことができる補充口（１１１）と、前記蓋（２２）を開いてトナー貯蔵筒（１）を取り出すことができる取っ手（１１２）とが形成され、
前記ガイド（１２）の下部にはトナーを前記トナーカートリッジ（５）に供給するトナー排出口（１２２）が形成される構造であることを特徴とする請求項１に記載のトナーカートリッジに自動的にトナーを供給する装置。
【請求項３】
前記トナー貯蔵筒（１）のメインボディ（１１）は、詰め替えトナーを使い切った場合、前記メインボディ（１１）を取り替えることができる構造で、前記メインボディ（１１）の下部と前記ガイド（１２）の上部は螺糸式で回して嵌めることができる構造で、
前記メインボディ（１１）の下端にはトナーがこぼれ出ないように塞ぐ栓（１１３）が形成され、
前記ガイド（１２）に前記メインボディ（１１）を回して結合させると、前記メインボディ（１１）の前記栓（１１３）が上に上げられて、内部のトナーが下部に出る構造であることを特徴とする請求項２に記載のトナーカートリッジに自動的にトナーを供給する装置。
【請求項４】
前記トナー供給手段（３）は前記空気配管（３３）に設置されて、前記空気ポンプ（３２）で吐出される空気を前記バルーン（３１）内に供給するか、前記バルーン（３１）内の空気を排出させる制御バルブ（３４）がさらに構成され、
前記制御バルブ（３４）は三方（３Ｗａｙ）タイプで、前記コントローラー（３５１）の信号によって前記バルーン（３１）に空気を注入したり、前記バルーン（３１）内の空気を排出する構造であることを特徴とする請求項１に記載のトナーカートリッジに自動的にトナーを供給する装置。
【請求項５】
前記ガイド（１２）の下部には前記空気ポンプ（３２）で吐出される空気の一部が注入される空気注入口（１２３）が形成され、前記空気ポンプ（３２）の吐出側空気配管（３３）で分岐されて、前記空気注入口（１２３）に連結される空気注入配管（３３１）が形成され、前記バルーン（３１）が膨脹された後、前記トナー貯蔵筒（１）の下部に空気を注入して、空気圧によってトナーが前記トナーカートリッジ（５）に供給されるようにするために、前記空気注入配管（３３１）には電動バルブ（３３１１）が設置されて、前記コントローラー（３５１）の信号によって開閉される構造であることを特徴とする請求項２に記載のトナーカートリッジに自動的にトナーを供給する装置。
【請求項６】
レーザープリンターまたはコピー機のカラートナーカートリッジに自動にトナーを供給するトナー自動供給装置（Ａ）において、
前記トナー自動供給装置（Ａ）は、
詰め替え用黒色トナーを貯蔵する黒トナー貯蔵筒（１ａ）と、
詰め替え用赤色トナーを貯蔵する赤トナー貯蔵筒（１ｂ）と、
詰め替え用青色トナーを貯蔵する青トナー貯蔵筒（１ｃ）と、
詰め替え用黄色トナーを貯蔵する黄トナー貯蔵筒（１ｄ）と、
前記黒トナー貯蔵筒（１ａ）と赤トナー貯蔵筒（１ｂ）と青トナー貯蔵筒（１ｃ）と黄トナー貯蔵筒（１ｄ）とを内装する外筒（２）と、
前記黒トナー貯蔵筒（１ａ）と赤トナー貯蔵筒（１ｂ）と青トナー貯蔵筒（１ｃ）と黄トナー貯蔵筒（１ｄ）に貯蔵されたトナーを、前記カラートナーカートリッジを構成するそれぞれの黒・赤・青・黄トナーカートリッジ（５ａ、５ｂ、５ｃ、５ｄ）に供給するトナー供給手段（３）と、
前記黒・赤・青・黄トナー貯蔵筒（１ａ、１ｂ、１ｃ、１ｄ）の下部に連結され、前記トナー供給手段（３）によって黒・赤・青・黄トナーをそれぞれの前記黒・赤・青・黄トナーカートリッジ（５ａ、５ｂ、５ｃ、５ｄ）に送るトナー供給ホース（４）と、で構成され、
前記トナー供給手段（３）は、
内部に空気が供給されると膨張し、排出されると収縮して、下部にあるトナーがカートリッジの方に押されて入るか、上部にあるトナーが下部に補充される役割を果たすバルーン（３１ａ、３１ｂ、３１ｃ、３１ｄ）と、
前記バルーン（３１ａ、３１ｂ、３１ｃ、３１ｄ）に空気を供給する空気ポンプ（３２）と、
前記バルーン（３１ａ、３１ｂ、３１ｃ、３１ｄ）と空気ポンプ（３２）とを連結する空気配管（３３）と、
黒・赤・青・黄トナーカートリッジ（５ａ、５ｂ、５ｃ、５ｄ）から伝送された信号を受けて、前記トナー供給手段（３）を制御するコントローラー（３５１）を含む制御部（３５）とで構成される構造であり、
前記空気ポンプ（３２）はそれぞれの前記バルーン（３１ａ、３１ｂ、３１ｃ、３１ｄ）ごとにそれぞれ設置されるか、前記空気ポンプ（３２）の後端に空気分配機（３３４）が形成されて１台で空気を分配して供給する構造で、
前記黒・赤・青・黄トナーカートリッジ（５ａ、５ｂ、５ｃ、５ｄ）にはそれぞれのトナー残量センサ（５１ａ、５１ｂ、５１ｃ、５１ｄ）が設置され、トナーの不足が感知されると、前記コントローラー（３５１）に初期入力された回数だけ前記バルーン（３１ａ、３１ｂ、３１ｃ、３１ｄ）が膨脹と収縮を繰り返して前記黒・赤・青・黄トナーカートリッジ（５ａ、５ｂ、５ｃ、５ｄ）にトナーを供給する構造であることを特徴とするトナーカートリッジに自動的にトナーを供給する装置。
【請求項７】
前記外筒（２）は、
外筒（２）の骨格を成す本体（２１）と、
前記外筒（２）の上部を開閉することができる蓋（２２）と、
前記本体（２１）を支持する底板（２３）とで構成され、
それぞれの前記黒・赤・青・黄トナー貯蔵筒（１ａ、１ｂ、１ｃ、１ｄ）は、
大部分のトナーが貯蔵されるそれぞれのメインボディ（１１ａ、１１ｂ、１１ｃ、１１ｄ）と、
それぞれの前記メインボディ（１１ａ、１１ｂ、１１ｃ、１１ｄ）の下部と結合されたガイド（１２ａ、１２ｂ、１２ｃ、１２ｄ）であって、それぞれの前記バルーン（３１ａ、３１ｂ、３１ｃ、３１ｄ）が内部に設置され、それぞれの前記ガイド（１２ａ、１２ｂ、１２ｃ、１２ｄ）の下部はトナーが容易に下方へ移動できるようにトナーの安息角以上の角度を成すコーン（１２１）で構成され、それぞれの前記ガイド（１２ａ、１２ｂ、１２ｃ、１２ｄ）の上部は円筒状に形成され、前記バルーン（３１ａ、３１ｂ、３１ｃ、３１ｄ）の膨脹によって前記バルーン（３１ａ、３１ｂ、３１ｃ、３１ｄ）の下部にあるトナーが前記カラートナーカートリッジ側に押されて入る前記ガイド（１２ａ、１２ｂ、１２ｃ、１２ｄ）とで構成され、
それぞれの前記メインボディ（１１ａ、１１ｂ、１１ｃ、１１ｄ）の上部にはトナーを補うことができる補充口（１１１）と、前記蓋（２２）を開いてトナー貯蔵筒（１）を取り出すことができる取っ手（１１２）とが形成され、
前記ガイド（１２ａ、１２ｂ、１２ｃ、１２ｄ）の下部にはトナーを黒・赤・青・黄トナーカートリッジ（５ａ、５ｂ、５ｃ、５ｄ）に供給するトナー排出口（１２２）が形成される構造であることを特徴とする請求項６に記載のトナーカートリッジに自動的にトナーを供給する装置。
【請求項８】
それぞれの前記黒・赤・青・黄トナー貯蔵筒（１ａ、１ｂ、１ｃ、１ｄ）のメインボディ（１１ａ、１１ｂ、１１ｃ、１１ｄ）は、詰め替えトナーを使い切った場合、前記メインボディ（１１ａ、１１ｂ、１１ｃ、１１ｄ）を取り替えることができる構造で、
前記メインボディ（１１ａ、１１ｂ、１１ｃ、１１ｄ）の下端にはトナーがこぼれ出ないように塞ぐ栓（１１３）が形成され、
前記ガイド（１２ａ、１２ｂ、１２ｃ、１２ｄ）に前記メインボディ（１１ａ、１１ｂ、１１ｃ、１１ｄ）を結合させると、前記メインボディ（１１ａ、１１ｂ、１１ｃ、１１ｄ）の前記栓（１１３）が上に上げられて、内部のトナーが下部に出る構造であることを特徴とする請求項７に記載のトナーカートリッジに自動的にトナーを供給する装置。
【請求項９】
前記トナー供給手段（３）は、前記空気配管（３３）に設置されて、前記コントローラー（３５１）の信号によって、前記空気ポンプ（３２）で吐出される空気を前記バルーン（３１ａ、３１ｂ、３１ｃ、３１ｄ）内に供給するか、前記バルーン（３１ａ、３１ｂ、３１ｃ、３１ｄ）内の空気を排出させる制御バルブ（３４ａ、３４ｂ、３４ｃ、３４ｄ）がさらに構成されて、前記制御バルブ（３４ａ、３４ｂ、３４ｃ、３４ｄ）はソレノイドバルブタイプで、前記コントローラー（３５１）の信号によって電気的に開閉される構造であることを特徴とする請求項６に記載のトナーカートリッジに自動的にトナーを供給する装置。
【請求項１０】
前記ガイド（１２ａ、１２ｂ、１２ｃ、１２ｄ）の下部には前記空気ポンプ（３２）で吐出される空気の一部が注入されるそれぞれの空気注入口（１２３ａ、１２３ｂ、１２３ｃ、１２３ｄ）が形成され、
前記空気ポンプ（３２）の吐出側空気配管（３３）で分岐されて、前記空気注入口（１２３ａ、１２３ｂ、１２３ｃ、１２３ｄ）に連結されるそれぞれの空気注入配管（３３１）が形成され、
前記バルーン（３１ａ、３１ｂ、３１ｃ、３１ｄ）が膨脹された後、前記黒・赤・青・黄トナー貯蔵筒（１ａ、１ｂ、１ｃ、１ｄ）の下部に空気を注入して、空気圧によってトナーがそれぞれの前記黒・赤・青・黄トナーカートリッジ（５ａ、５ｂ、５ｃ、５ｄ）に供給されるようにするために、それぞれの前記空気注入配管（３３１）にはそれぞれの電動バルブ（３３１１ａ、３３１１ｂ、３３１１ｃ、３３１１ｄ）が設置されて、前記コントローラー（３５１）の信号によって開閉される構造であることを特徴とする請求項７に記載のトナーカートリッジに自動的にトナーを供給する装置。
【発明の詳細な説明】
【技術分野】
【０００１】
本発明は、レーザープリンター或はコピー機のカートリッジにトナーを自動的に供給するトナー供給装置に関するもので、より詳細には、内部に空気が供給されると膨張し、内部の空気が排出されると収縮して、下部にあるトナーがカートリッジの方に押されて入ったり、上部にあるトナーが下部に補充される役割を果たすバルーンを利用して、外部で自動的にトナーを充填し、トナー残量センサでカートリッジにトナーがないことが感知されると、制御部で設定回数だけ空気を供給したり排出して、バルーンの体積変化によってトナーを注入するトナーの自動供給装置に関するものである。
【背景技術】
【０００２】
一般に、コピー機またはレーザープリンターなどには粉末形態のトナー（toner）を使ってコピーまたは印刷をするが、ドラムはトナー収納部と結合されたカートリッジが主に使われている。トナーが収納されるカートリッジは、大部分消耗品でありながらもトナーの再充填が不可能になっている高価な使い捨てであり、カートリッジに充填されているトナーを使い切るとカートリッジを交換しなければならないため、プリントの保持費用が高く、資源の無駄使いが深刻であるという問題点がある。そこで、使用中のカートリッジを本体から分離しないで、トナーの残量を感知してカートリッジに自動的に不足なトナーを充填するカートリッジトナー自動充填装置の必要性が切実に要求されている。
【０００３】
従来技術におけるトナー詰め替え装置は、単純に黒白トナーを回転スクリューの回転によって供給する形式で、回転スクリューによってトナーがまともに供給されることができないという問題点と、カートリッジの内部に残ったトナーの残量を分からないままトナーを供給して、トナーが過剰に供給されたり、トナーが漏出されるという問題点があった。また、従来技術のトナー詰め替え装置は、トナー詰め替えタンクの充填状態を分かることができなくて、随時にトナー詰め替えタンクの状態を確認しなければならないという問題点があった。
【０００４】
また、本発明者が発明したレーザープリンターのカートリッジトナー自動充填装置（韓国登録特許１０−０９８０３８５）は、空気圧力のみを利用して充填するため、エアによって１００％充填することは困難であるという問題点があった。
【先行技術文献】
【特許文献】
【０００５】
【特許文献１】韓国登録特許第１０−０９８０３８５号
【発明の概要】
【発明が解決しようとする課題】
【０００６】
上記のような問題点を解決するために、本発明によるレーザープリント或はコピー機のカートリッジにトナーを自動的に供給する供給装置は、使用中のカートリッジを本体から分離しないでカートリッジにトナーを充填し、カートリッジのトナー量がトナー残量センサによってカートリッジ内のトナーがないことを感知すると、制御部で設定回数だけ空気を供給したり排出して、バルーンの体積変化によって、即ちバルーンがピストンの役割をしてトナーを注入し、さらにガイドの下部にエアを供給して充填を補助することができ、設定回数が経過すると停止する動作を持続して、トナーカートリッジ内には常に適量のトナーがあるようにするトナーカートリッジに自動的にトナーを供給する装置を提供することをその目的とする。
【課題を解決するための手段】
【０００７】
本発明のトナーカートリッジに自動的にトナーを供給する装置は、詰め替えトナーを貯蔵するトナー貯蔵筒と、上記トナー貯蔵筒を内装する外筒と、上記トナー貯蔵筒に貯蔵されたトナーをトナーカートリッジに供給するトナー供給手段と、上記トナー貯蔵筒の下部に連結され、上記トナー供給手段によってトナーを上記トナーカートリッジに送るトナー供給ホースとで構成される。
【０００８】
上記トナー供給手段は、内部に空気が供給されると膨張し、空気が排出されると収縮して、下部にあるトナーがカートリッジの方に押されて入るか、上部にあるトナーが下部に補充される役割を果たすバルーンと、上記バルーンに空気を供給する空気ポンプと、上記バルーンと空気ポンプとを連結する空気配管と、上記空気配管に設置されて、上記空気ポンプで吐出される空気を上記バルーン内に供給するか上記バルーン内の空気を排出させる制御バルブと、トナーカートリッジから伝送された信号を受けて、上記空気ポンプを作動させたり中断させて、上記制御バルブを作動させるコントローラーとで構成される構造である。
【０００９】
上記外筒は、外筒の骨格を成す本体と、上記外筒の上部を開閉することができる蓋と、上記本体を支持する底板とで構成される。
【００１０】
上記トナー貯蔵筒は、大部分のトナーが貯蔵されるメインボディと、上記メインボディの下部に結合され、上記バルーンが内部に設置され、下部はトナーが容易に下方へ移動することができるように、トナーの安息角以上の角度を成すコーンで構成され、上部は円筒状に構成され、上記バルーンの膨脹によって上記バルーンの下部にあるトナーが入る部分であるガイドとで構成される。
【００１１】
上記ガイドの下部には上記空気ポンプで吐出される空気の一部が注入される空気注入口が形成され、上記空気ポンプの吐出側の空気配管で分岐されて、上記空気注入口に連結される空気注入配管が形成され、上記バルーンが膨脹された後、上記トナー貯蔵筒の下部に空気を注入して、空気圧によってトナーが上記トナーカートリッジ５に供給されるようにするために、上記空気注入配管には電動バルブが設置されて、上記コントローラーの信号によって開閉される構造である。
【００１２】
上記メインボディの上部にはトナーを補うことができる補充口と、上記蓋を開いてトナー貯蔵筒を取り出すことができる取っ手とが形成され、上記ガイドの下部にはトナーを上記トナーカートリッジに供給するトナー排出口が形成される構造である。
【００１３】
上記トナー貯蔵筒のメインボディは、詰め替えトナーを使い切った場合、上記メインボディを取り替えることができる構造で、上記メインボディ下部と上記ガイドの上部は螺糸式に回して嵌めることができる構造である。上記メインボディの下端にはトナーがこぼれ出ないように塞ぐ栓が形成され、上記ガイドに上記メインボディを回して結合させると、上記メインボディの上記栓が上へ上げられて内部のトナーが下部に出る構造である。
【００１４】
上記制御バルブは三方（３Ｗａｙ）タイプで、上記コントローラーの信号によって上記バルーンに空気を注入したり、上記バルーン内の空気を排出する構造である。
【００１５】
上記トナーカートリッジにはトナー残量センサが設置されて、トナーの不足が感知されると、上記バルーンが上記コントローラーに初期入力された回数だけ膨脹と収縮を繰り返して、上記トナーカートリッジにトナーを供給する構造である。
【００１６】
このようなトナーカートリッジに自動的にトナーを供給する装置で本発明の解決しようとする課題を解決することができる。
【発明の効果】
【００１７】
本発明によるトナーカートリッジに自動的にトナーを供給する装置は、使用中のレーザープリンター或はコピー機のカートリッジを本体から分離しないで、不足するトナーを自動的に充填するので、本体からカートリッジを分離しなくてもトナーの充填が可能であることから非常に便利であり、メイン注入方法が体積変化によって行われるので、誤作動を起こす確率がほとんどなく、トナー残量センサの使用時、常に適量のトナーがカートリッジ内にあるので、トナー不足を防止して安定したプリントができるという効果を奏する。
【図面の簡単な説明】
【００１８】
【図１】本発明のトナーカートリッジに自動的にトナーを供給する装置による黒白トナー供給装置の全体正面図である。
【図２】本発明のトナーカートリッジに自動的にトナーを供給する装置による黒白トナー供給装置のトナー供給手段のＰ＆Ｉ図である。
【図３】本発明のトナーカートリッジに自動的にトナーを供給する装置による黒白トナー供給装置のトナー貯蔵筒の概路図である。
【図４】本発明のトナーカートリッジに自動的にトナーを供給する装置による黒白トナー供給装置のトナー貯蔵筒のメインボディとガイドの分離概路図である。
【図５】本発明のトナーカートリッジに自動的にトナーを供給する装置による黒白トナー供給装置の外筒の全体概路図である。
【図６】本発明のトナーカートリッジに自動的にトナーを供給する装置による外筒の主本体の詳細図である。
【図７】本発明のトナーカートリッジに自動的にトナーを供給する装置による黒白トナー供給装置の外筒の上部本体の詳細図である。
【図８】本発明のトナーカートリッジに自動的にトナーを供給する装置による黒白トナー供給装置の蓋の詳細図である。
【図９】本発明のトナーカートリッジに自動的にトナーを供給する装置によるカラートナー供給装置の全体正面図である。
【図１０】本発明のトナーカートリッジに自動的にトナーを供給する装置によるカラートナー供給装置の全体平面図である。
【図１１】本発明のトナーカートリッジに自動的にトナーを供給する装置によるカラートナー供給装置のＰ＆Ｉ図である。
【発明を実施するための形態】
【００１９】
本発明を具体的に説明するに先立ち、本発明に係わる公知技術または構成に対する具体的な説明が本発明の要旨を不必要に曖昧にする虞があると判断される場合には、その詳細な説明は省略する。
【００２０】
また、後述される用語は本発明での機能を考慮して定義された用語であって、これは使用者、運用者の意図または慣例などによって異なることがあるので、その定義は本発明による「トナーカートリッジに自動的にトナーを供給する装置」を説明する本明細書の全体の内容に基づいて定義されるべきである。
【００２１】
本発明はレーザープリンターまたはコピー機のトナーカートリッジに自動的にトナーを供給するトナー自動供給装置Ａである。
【００２２】
黒白レーザープリンターや黒白コピー機に使われる黒トナーのみ供給する上記トナー自動供給装置Ａは、詰め替えトナーを貯蔵するトナー貯蔵筒１と、上記トナー貯蔵筒１を内装する外筒２と、上記トナー貯蔵筒１に貯蔵されたトナーをトナーカートリッジ５に供給するトナー供給手段３と、上記トナー貯蔵筒１の下部に連結され、上記トナー供給手段３によってトナーを上記トナーカートリッジ５に送るトナー供給ホース４とで構成される。
【００２３】
上記トナー供給手段３は内部に空気が供給されると膨張し、空気が排出されると収縮して、下部にあるトナーがカートリッジの方に押されて入ったり、上部にあるトナーが下部に補充される役割を果たすバルーン３１と、上記バルーン３１に空気を供給する空気ポンプ３２と、上記バルーン３１と空気ポンプ３２とを連結する空気配管３３と、上記空気配管３３に設置されて、上記空気ポンプ３２で吐出される空気を上記バルーン３１内に供給するか、上記バルーン３１内の空気を排出させる制御バルブ３４と、上記トナーカートリッジ５から伝送された信号を受けて、上記空気ポンプ３２を作動させたり中断させて、上記制御バルブ３４を作動させるコントローラー３５１を含む制御部３５とで構成される。
【００２４】
上記制御バルブ３４は三方（３Ｗａｙ）タイプで、上記コントローラー３５１の信号によって上記バルーン３１に空気を注入したり、上記バルーン３１内の空気を排出する構造であり、上記トナーカートリッジ５にはトナー残量センサ５１が設置されて、トナーの不足が感知されると、 上記バルーン３１が上記コントローラー３５１に初期入力された回数だけ膨脹と収縮を繰り返して上記トナーカートリッジ５にトナーを供給する構造である。
【００２５】
また、上記ガイド１２の下部には上記空気ポンプ３２で吐出される空気の一部が注入される空気注入口１２３が形成され、上記空気ポンプ３２の吐出側の空気配管３３で分岐されて、上記空気注入口１２３に連結される空気注入配管３３１が形成され、上記バルーン３１が膨脹された後、上記トナー貯蔵筒１の下部に空気を注入して空気圧によってトナーが上記トナーカートリッジ５に供給されるようにするために、上記空気注入配管３３１には電動バルブ３３１１が設置されて、上記コントローラー３５１の信号によって開閉される構造である。
【００２６】
上記外筒２は、外筒２の骨格を成す本体２１と、上記外筒２の上部を開閉することができる蓋２２と、上記本体２１を支持する底板２３とで構成される。
【００２７】
上記トナー貯蔵筒１は、大部分のトナーが貯蔵されるメインボディ１１と、上記メインボディ１１の下部と結合され、上記バルーン３１が内部に設置され、下部はトナーが容易に下方へ移動することができるように、トナーの安息角以上の角度を成すコーン１２１で構成され、上部は円筒状に構成され、上記バルーン３１の膨脹によって上記バルーン３１の下部にあるトナーが入る部分であるガイド１２とで構成される。
【００２８】
上記メインボディ１１の上部にはトナーを補うことができる補充口１１１と、上記蓋２２を開いてトナー貯蔵筒１を取り出すことができる取っ手１１２とが形成される。
【００２９】
上記ガイド１２の下部にはトナーを上記トナーカートリッジ５に供給するトナー排出口１２２が形成される構造である。
【００３０】
上記トナー貯蔵筒１のメインボディ１１は、詰め替えトナーを使い切った場合、上記メインボディ１１を取り替えることができる構造で、上記メインボディ１１の下部と上記ガイド１２の上部は螺糸式に回して嵌めることができる構造である。上記メインボディ１１の下端にはトナーがこぼれ出ないように塞ぐ栓１１３が形成され、上記ガイド１２に上記メインボディ１１を回して結合させると、上記メインボディ１１の上記栓１１３が上へ上げられて内部のトナーが下部に出る構造である。
【００３１】
以下、本発明を例示図に基づいて詳しく説明する。
【００３２】
図１は本発明のトナーカートリッジに自動的にトナーを供給する装置による黒白トナー供給装置の全体正面図であり、図２は本発明のトナーカートリッジに自動的にトナーを供給する装置による黒白トナー供給装置のトナー供給手段のＰ＆Ｉ図であり、図３は本発明のトナーカートリッジに自動的にトナーを供給する装置による黒白トナー供給装置のトナー貯蔵筒の概路図であり、図４は本発明のトナーカートリッジに自動的にトナーを供給する装置による黒白トナー供給装置のトナー貯蔵筒のメインボディとガイドの分離概路図であり、図５は本発明のトナーカートリッジに自動的にトナーを供給する装置による黒白トナー供給装置の外筒の全体概路図であり、図６は本発明のトナーカートリッジに自動的にトナーを供給する装置による外筒の主本体の詳細図であり、図７は本発明のトナーカートリッジに自動的にトナーを供給する装置による黒白トナー供給装置の外筒の上部本体の詳細図であり、図８は本発明のトナーカートリッジに自動的にトナーを供給する装置による黒白トナー供給装置の蓋の詳細図であり、図９は本発明のトナーカートリッジに自動的にトナーを供給する装置によるカラートナー供給装置の全体正面図であり、図１０は本発明のトナーカートリッジに自動的にトナーを供給する装置によるカラートナー供給装置の全体平面図であり、図１１は本発明のトナーカートリッジに自動的にトナーを供給する装置によるカラートナー供給装置のＰ＆Ｉ図である。
【００３３】
図１及び図２に示すように、黒白レーザープリンターや黒白コピー機に使われる黒トナーのみ供給するトナー自動供給装置Ａは、詰め替えトナーを貯蔵するトナー貯蔵筒１と、上記トナー貯蔵筒１を内装する外筒２と、上記トナー貯蔵筒１に貯蔵されたトナーをトナーカートリッジ５に供給するトナー供給手段３と、上記トナー貯蔵筒１の下部に連結され、上記トナー供給手段３によってトナーを上記トナーカートリッジ５に送るトナー供給ホース４とで構成される。
【００３４】
上記トナー供給手段３は内部に空気が供給されると膨張し、空気が排出されると収縮して、下部にあるトナーがカートリッジの方に押されて入ったり、上部にあるトナーが下部に補充される役割を果たすバルーン３１と、上記バルーン３１に空気を供給する空気ポンプ３２と、上記バルーン３１と空気ポンプ３２とを連結する空気配管３３と、上記空気配管３３に設置されて、上記空気ポンプ３２で吐出される空気を上記バルーン３１内に供給するか、上記バルーン３１内の空気を排出させる制御バルブ３４と、上記トナーカートリッジ５から伝送された信号を受けて、上記空気ポンプ３２を作動させたり中断させて、上記制御バルブ３４を作動させるコントローラー３５１を含む制御部３５とで構成され、上記空気配管３３にはチェックバルブ３３３が設置されて、上記空気ポンプ３２が停止された時空気が逆流されることを防止し、連結アダプター３３２が設置されて、上記バルーン３１の方との連結を容易にする。
【００３５】
上記バルーン３１は繰り返し膨脹及び収縮にも老化されたり破れない特殊なシリコンゴム材質を使用する。
【００３６】
上記制御バルブ３４は三方（３Ｗａｙ）タイプで上記コントローラー３５１の信号によって上記バルーン３１に空気を注入したり上記バルーン３１内の空気を排出する構造で、上記バルーン３１に空気が注入されている時は、大気排出側の流路が閉まり、上記バルーン３１が収縮される時は、外部に空気が排出されるように、大気側に流路が形成される。
【００３７】
上記トナーカートリッジ５にはトナー残量センサ５１が設置されて、トナーの不足が感知されると、上記コントローラー３５１に初期入力された回数だけ上記バルーン３１が膨脹と収縮を繰り返して上記トナーカートリッジ５にトナーを供給する構造である。
【００３８】
上記空気ポンプ３２の吐出側の空気配管３３で分岐されて上記空気注入口１２３に連結される空気注入配管３３１が形成され、上記バルーン３１が膨脹された後、上記トナー貯蔵筒１の下部に空気を注入して、空気圧によってトナーが上記トナーカートリッジ５に供給されるようにするために、上記空気注入配管３３１には電動バルブ３３１１が設置されて、上記コントローラー３５１の信号によって開閉される構造であり、上記ガイド１２との結合を容易にするために、連結アダプター３３１２が設置される構造である。
【００３９】
上記制御部３５は上記空気ポンプ３２を作動させたり中断させ、上記制御バルブ３４を作動させるコントローラー３５１と上記トナー供給手段３に電源を供給する電源スイッチ３５２と、作動ボタン３５５と、状態表示ランプ３５３と、制御線３５４のような制御に必要なすべての部分を含み、詳細な内容は公知の技術であるので省略する。
【００４０】
即ち、本発明は、トナーカートリッジ５に設置されたトナー残量センサ５１によってトナーが不足であることを認知した場合、状態表示ランプ３５３のトナーローが点灯して自動的に上記トナー供給手段が作動し、上記トナーカートリッジ５にトナー残量センサ５１が設置されていない場合、プリントされる紙を見てトナーが不足していることを認知した場合、上記トナー供給手段３に設けられた作動ボタン３５５を押せば、上記コントローラー３５１に初期入力された回数だけ（普通５〜６回）上記バルーン３１が膨張及び収縮を繰り返して、上記トナー貯蔵筒１に貯蔵されたトナーが上記トナー供給ホース４を通じてトナーカートリッジ５に供給されるようにした構造の発明である。しかし、本発明では全自動でトナーを供給するか、または作動ボタン３５５を押してトナーを自動的に供給するかについて限定しない。
【００４１】
本発明の核心は、上記バルーン３１が膨らんだり縮まる膨脹と収縮の体積変化によって、シリンダー内のピストンのようにカートリッジにトナーを押し、また、上記ガイド１２内にトナーを受け入れる作動を繰り返し、上記空気ポンプ３２の作動によって空気が注入されて上記バルーン３１が膨脹されながら、トナーが上記トナーカートリッジ５に注入され、注入が完了されると、上記制御バルブ３４が三方方式であるので、大気側にバルブが開かれて空気が大気に放出され、上記バルーン３１が収縮されて上部にあるトナーが上記ガイド１２の下部に落ちて満たされる二つの作用を入力された回数だけ（普通５〜６回）繰り返し、数多い実験によって作動回数、空気ポンプの作動時間及び中止時間、制御バルブの作動時間、電動バルブの開かれる時間などを設定して上記コントローラー３５１に入力し、入力されたデータによって上記トナー供給手段が作動されるようにする。
【００４２】
注入を補助するために、上記空気注入配管３３１に設置された上記電動バルブ３３１１が開かれて、空気が上記ガイド１２に注入され、上記バルーン３１によって上部側が塞がられている状態で、空気がガイド１２内に注入されるので、トナーが上記トナーカートリッジ５に容易に注入される。
【００４３】
上記トナー供給ホース４が５０ｃｍ以上に長い場合、上記バルーン３１の膨脹だけではトナーを１００％供給することができないので、上記バルーン３１が膨脹された時、上記空気注入配管３３１を通じてガイド１２内に空気をさらに少し注入すると、上記トナー供給ホース４の長さが約１００ｃｍ長くてもトナーが円滑に供給されることを数多い試験結果から確認することができた。
【００４４】
図３及び図４に示すように、黒白レーザープリンターや黒白コピー機に使われる黒トナーのみ供給する上記トナー貯蔵筒１は、大部分のトナーが貯蔵されるメインボディ１１と、上記メインボディ１１の下部と結合され、上記バルーン３１が内部に設置され、下部はトナーが容易に下方へ移動できるように、トナーの安息角以上の角度を成すコーン１２１で構成され、上部は円筒状に構成され、上記バルーン３１の膨脹によって上記バルーン３１の下部にあるトナーが入る部分であるガイド１２とで構成される。
【００４５】
上記メインボディ１１の上部にはトナーを補うことができる補充口１１１と、上記蓋２２を開いてトナー貯蔵筒１を取り出すことができる取っ手１１２とが形成される。
【００４６】
上記メインボディ１１の下部には上記ガイド１２と結合されるガイド結合部１１５が形成され、上記ガイド結合部１１５の外部は螺子が形成されるか、下部に直接挿入される時Ｏリングパッキングが挿入されることができるパッキング溝が形成された円筒状であることが好ましい。
【００４７】
上記ガイド１２の下部にはトナーを上記トナーカートリッジ５に供給するトナー排出口１２２が形成される構造である。
【００４８】
上記ガイド１２の上部には上記メインボディ１１の上記ガイド結合部１１５と結合されるメインボディ結合部１２５が形成され、上記メインボディ結合部１２５の内部はねじが形成されるかＯリングパッキングが形成されることができ、上記メインボディ１１を回して結合したり、下部に押して結合されることができる。
【００４９】
上記トナー貯蔵筒１のメインボディ１１は詰め替えトナーを使い切った場合、上記メインボディ１１を取り替えることができる構造で、上記メインボディ１１の下部と上記ガイド１２の上部は螺糸式に回して嵌めることができる構造であるか、上記ガイド１２のメインボディ結合部１２５の内部にＯリングパッキングが形成されて、ガイド結合部１１５が挿入された時上記Ｏリングパッキングによって漏れが発生しない構造である。
【００５０】
上記メインボディ１１の下端にはトナーがこぼれ出ないように塞ぐ栓１１３が形成され、上記ガイド１２に上記メインボディ１１を回して結合させるか、下部に押して挿入させると、上記メインボディ１１の上記栓１１３が上に上げられて内部のトナーが下部に出る構造であることが好ましい  。
【００５１】
上記メインボディ１１のガイド結合部１１５に上記栓１１３が設置されたアダプダを結合し、ガイド１２に付着されたスプリングの張力によって上にあげる方法でガイド１２とメインボディ１１を結合するとメインボディ１１の栓１１３を開くことができる。
【００５２】
上記ガイド１２の下部には上記空気ポンプ３２で吐出される空気の一部が注入される空気注入口１２３が形成されて、上記空気ポンプ３２の吐出側の空気配管３３で分岐されて上記空気注入口１２３に連結されることができるように空気注入配管３３１が形成される。
【００５３】
上記トナー貯蔵筒１の長手方向には上記外筒２の本体２１に所定方向に挿入されるようにする挿入突起１１４が２ヶ所に対称されるように形成され、上記トナー貯蔵筒１の下部にはトナー詰め替え貯蔵タンクの荷重の一部を支持する支持バー１２４が形成され、上記支持バー１２４は上記主本体２１１の下部に突出された部分に上げられて、荷重を上記下部補強板オープニング２１１１２と一緒に分けて受ける。
【００５４】
ただし、上記トナー貯蔵筒１のメインボディ１１とガイド１２が回転して結合されるタイプである場合、挿入突起１１４やガイド突起２１２２のような附属品が必要なくなる。
【００５５】
図５に示すように、黒白レーザープリンターや黒白コピー機に使われる黒トナーのみ供給する上記外筒２は外筒２の骨格を成す本体２１と、上記外筒２の上部を開閉することができる蓋２２と、上記本体２１を支持する底板２３とで構成される。
【００５６】
上記本体２１に上記トナー貯蔵筒１が挿入されて安置され、上記トナー供給手段３が内部に設置される主本体２１１と、上記蓋２２が載せられ、上記主本体２１１の上部に結合される上部本体２１２とで構成される。
【００５７】
図６に示すように、黒白レーザープリンターや黒白コピー機に使われる黒トナーのみ供給する上記主本体２１１は射出成形で製作され、上記主本体２１１は２つの部分に分けられて結合される構造であり、図面の断面Ａ′−Ａ″部分（赤い線部分）が半分に分けられて製作される。
【００５８】
上記主本体２１１を射出成形するためには、上記主本体２１１が半分に分けられて結合される構造であるとき容易に射出成形することができ、補強リブなどを形成させて補強することができ、内部に上記制御機構の設置が容易である。
【００５９】
半分に分けられて製作された上記主本体２１１はワンタッチ結合方法を利用して、押せば結合される構造に作成されたものが好ましい。
【００６０】
上記主本体２１１の内部には上記トナー貯蔵筒１の下部であるコーン１２１が安着される下部補強板２１１１と、上記トナー貯蔵筒１が挿入されるガイドの役割を果たす上部補強板２１１２と、上記主本体２１１の強度を補強するための補強リブ２１１３とが形成される。
【００６１】
上記主本体２１１の外部には、内部に設置された上記トナー供給手段３と、上記トナー貯蔵筒１の下部を点検して確認する第１点検窓２１３及び第２点検窓２１４が形成されることが好ましい。
【００６２】
上記下部補強板２１１１は２つの板で構成され、２つの板の間に補強のための垂直補強フレーム２１１１１が形成され、上記下部補強板２１１１には上記トナー貯蔵筒１が挿入される下部補強板オープニング２１１１２が形成される。
【００６３】
上記下部補強板オープニング２１１１２は上記トナー貯蔵筒１のガイド１２が漏斗状（逆円錐状）で、下部に行くほど直径が小くなるコーン１２１を形成するので、２つの板のオープニングサイズを異なるようにして、上記コーン１２１部分の傾斜度と上記下部補強板オープニング２１１１２の傾斜度が同じであるとき、２つの板の上記トナー貯蔵筒１が均一な力を受けながら正確に安置される。
【００６４】
上記上部補強板２１１２は２つの板で構成され、２つの板の間に補強のための垂直補強フレーム２１１２１が形成され、上部補強板２１１２には上記トナー貯蔵筒１が挿入されて安置される上部補強板オープニング２１１２２と、上記トナー貯蔵筒１が所定方向に挿入されるようにするガイド溝２１１２３とが形成される。
【００６５】
ただし、上記トナー貯蔵筒１のメインボディ１１とガイド１２が回転して結合されるタイプである場合、上記ガイド溝２１１２３は必要なくなる。
【００６６】
上記トナー貯蔵筒１が挿入されて安置される上部補強板オープニング２１１２２は上記下部補強板オープニング２１１１２とは違って２つの板が同じ直径でオープンされている。
【００６７】
図７に示すように、黒白レーザープリンターや黒白コピー機に使われる黒トナーのみ供給する上記上部本体２１２は、上記主本体２１１の上部本体載置部２１１６上に緊密に嵌まるように安着されて、上記トナー貯蔵筒１を挿入する。
【００６８】
上記上部本体２１２には、上記トナー貯蔵筒１が挿入される上部本体オープニング部２１２１と、上記トナー貯蔵筒１が上記上部本体オープニング２１２１に挿入される時、所定方向に挿入されるようにするガイド突起２１２２と、上記蓋２２が載せられる蓋安置部２１２３と、上記主本体２１１の上部本体載置部２１１６に安置される主本体結合部２１２５とが形成される。
【００６９】
上記ガイド突起２１２２に上記トナー貯蔵筒１の挿入突起１１４を入れ、下に上記トナー貯蔵筒１を挿入すれば、上記ガイド突起２１２２がガイドの役割をして正確に挿入される。
【００７０】
ただし、上記トナー貯蔵筒１のメインボディ１１とガイド１２が回転して結合されるタイプである場合、挿入突起１１４やガイド突起２１２２のような附属品が必要なくなる。
【００７１】
図８に示すように、黒白レーザープリンターや黒白コピー機に使われる黒トナーのみ供給する上記蓋２２には、蓋を開くための蓋取っ手溝２２１が２ヶ所に対称に形成され、上記上部本体２１２の蓋安置部２１２３に上部本体挿入部２２３が安置されて緊密に安置され、空間部２２２が形成される。
【００７２】
図９及び図１０に示すように、本例示図はカラーレーザープリンターやカラーコピー機のカラートナーカートリッジに自動的にトナーを供給するトナー自動供給装置Ａである。
【００７３】
カラートナーカートリッジに自動的にトナーを供給するトナー自動供給装置Ａは、詰め替え用黒色のトナーを貯蔵する黒トナー貯蔵筒１ａと、詰め替え用赤色のトナーを貯蔵する赤トナー貯蔵筒１ｂと、詰め替え用青色のトナーを貯蔵する青トナー貯蔵筒１ｃと、詰め替え用黄色のトナーを貯蔵する黄トナー貯蔵筒１ｄと、上記黒トナー貯蔵筒１ａと赤トナー貯蔵筒１ｂと青トナー貯蔵筒１ｃと黄トナー貯蔵筒１ｄを内装する外筒２と、上記黒トナー貯蔵筒１ａと赤トナー貯蔵筒１ｂと青トナー貯蔵筒１ｃと黄トナー貯蔵筒１ｄに貯蔵されたトナーをそれぞれの黒・赤・青・黄トナーカートリッジ５ａ、５ｂ、５ｃ、５ｄに供給するトナー供給手段３と、上記黒・赤・青・黄トナー貯蔵筒１ａ、１ｂ、１ｃ、１ｄの下部に連結され、上記トナー供給手段３によって黒・赤・青・黄トナーをそれぞれの上記黒・赤・青・黄トナーカートリッジ５ａ、５ｂ、５ｃ、５ｄに送るトナー供給ホース４とで構成される。
【００７４】
上記トナー供給手段３は、内部に空気が供給されると膨張し、空気が排出されると収縮して、下部にあるトナーがカートリッジの方に押されて入るか、上部にあるトナーが下部に補充される役割を果たすバルーン３１ａ、３１ｂ、３１ｃ、３１ｄと、上記バルーン３１ａ、３１ｂ、３１ｃ、３１ｄに空気を供給する空気ポンプ３２と、上記バルーン３１ａ、３１ｂ、３１ｃ、３１ｄと空気ポンプ３２とを連結する空気配管３３と、黒・赤・青・黄トナーカートリッジ５ａ、５ｂ、５ｃ、５ｄから伝送された信号を受けて、上記トナー供給手段３を制御するコントローラー３５１を含む制御部３５とで構成される構造である。
【００７５】
上記空気ポンプ３２はそれぞれの上記バルーン３１ａ、３１ｂ、３１ｃ、３１ｄごとにそれぞれ設置されるか、上記空気ポンプ３２の後端に空気分配機３３４が形成されて、１台で空気を分配して供給する構造である。
【００７６】
上記外筒２は、外筒２の骨格を成す本体２１と、上記外筒２の上部を開閉することができる蓋２２と、上記本体２１を支持する底板２３とで構成される。
【００７７】
それぞれの上記黒・赤・青・黄トナー貯蔵筒１ａ、１ｂ、１ｃ、１ｄは大部分のトナーが貯蔵されるそれぞれのメインボディ１１ａ、１１ｂ、１１ｃ、１１ｄと、それぞれの上記メインボディ１１ａ、１１ｂ、１１ｃ、１１ｄの下部と結合され、それぞれの上記バルーン３１ａ、３１ｂ、３１ｃ、３１ｄが内部に設置され、下部はトナーが容易に下方へ移動することができるように、トナーの安息角以上の角度を成すコーン１２１で構成され、上記バルーン３１ａ、３１ｂ、３１ｃ、３１ｄの膨脹によって上記バルーン３１ａ、３１ｂ、３１ｃ、３１ｄの下部にあるトナーが入る部分であるガイド１２ａ、１２ｂ、１２ｃ、１２ｄとで構成される。
【００７８】
それぞれの上記メインボディ１１ａ、１１ｂ、１１ｃ、１１ｄの上部にはトナーを補うことができる補充口１１１と、上記蓋２２を開いてトナー貯蔵筒１を取り出すことができる取っ手１１２が形成される。
【００７９】
上記ガイド１２ａ、１２ｂ、１２ｃ、１２ｄの下部にはトナーを黒・赤・青・黄トナーカートリッジ５ａ、５ｂ、５ｃ、５ｄに供給するトナー排出口１２２が形成される構造である。
【００８０】
それぞれの上記黒・赤・青・黄トナー貯蔵筒１ａ、１ｂ、１ｃ、１ｄのメインボディ１１ａ、１１ｂ、１１ｃ、１１ｄは、詰め替えトナーを使い切った場合、上記メインボディ１１ａ、１１ｂ、１１ｃ、１１ｄを取り替えることができる構造で、上記メインボディ１１ａ、１１ｂ、１１ｃ、１１ｄの下端にはトナーがこぼれ出ないように塞ぐ栓１１３が形成される。
【００８１】
上記ガイド１２ａ、１２ｂ、１２ｃ、１２ｄに上記メインボディ１１ａ、１１ｂ、１１ｃ、１１ｄを結合させると、上記メインボディ１１ａ、１１ｂ、１１ｃ、１１ｄの上記栓１１３が上に上げられて、内部のトナーが下部に出る構造である。
【００８２】
上記黒・赤・青・黄トナーカートリッジ５ａ、５ｂ、５ｃ、５ｄにはそれぞれのトナー残量センサ５１ａ、５１ｂ、５１ｃ、５１ｄが設けられて、トナーの不足が感知されると、上記コントローラー３５１に初期入力された回数だけ上記バルーン３１ａ、３１ｂ、３１ｃ、３１ｄが膨脹と収縮を繰り返して上記黒・赤・青・黄トナーカートリッジ５ａ、５ｂ、５ｃ、５ｄにトナーを供給する構造である。
【００８３】
カラートナーカートリッジに自動的にトナーを供給するトナー自動供給装置Ａは、黒白レーザープリンターや黒白コピー機に使われる黒トナーのみ供給するトナー自動供給装置Ａと原理が同じであり、トナー貯蔵筒１ａ、１ｂ、１ｃ、１ｄと外筒２も黒白レーザープリンターや黒白コピー機に使われる黒トナーのみ供給するトナー自動供給装置Ａと類似する。従って、黒白レーザープリンターや黒白コピー機に使われる黒トナーのみ供給するトナー自動供給装置Ａで詳しく説明したので、本カラートナーカートリッジに自動的にトナーを供給するトナー自動供給装置Ａにおいてはいくつだけ説明し、詳細な説明は省略する。
【００８４】
カラートナーカートリッジに自動的にトナーを供給するトナー自動供給装置Ａにおける上記黒・赤・青・黄トナー貯蔵筒１ａ、１ｂ、１ｃ、１ｄは、大部分のトナーが貯蔵されるそれぞれのメインボディ１１ａ、１１ｂ、１１ｃ、１１ｄと、それぞれの上記メインボディ１１ａ、１１ｂ、１１ｃ、１１ｄの下部と結合されて、それぞれの上記バルーン３１ａ、３１ｂ、３１ｃ、３１ｄが内部に設置され、下部はトナーが容易に下方へ移動することができるように、トナーの安息角以上の角度を成すコーン１２１で構成され、上記バルーン３１ａ、３１ｂ、３１ｃ、３１ｄの膨脹によって上記バルーン３１ａ、３１ｂ、３１ｃ、３１ｄの下部にあるトナーが入る部分であるガイド１２ａ、１２ｂ、１２ｃ、１２ｄとで構成される。
【００８５】
それぞれの上記メインボディ１１ａ、１１ｂ、１１ｃ、１１ｄの上部にはトナーを補うことができる補充口１１１と、上記蓋２２を開いてトナー貯蔵筒１を取り出すことができる取っ手１１２とが形成され、上記ガイド１２ａ、１２ｂ、１２ｃ、１２ｄの下部にはトナーを黒・赤・青・黄トナーカートリッジ５ａ、５ｂ、５ｃ、５ｄに供給するトナー排出口１２２が形成される構造である。
【００８６】
上記メインボディ１１ａ、１１ｂ、１１ｃ、１１ｄの下部には上記ガイド１２ａ、１２ｂ、１２ｃ、１２ｄとそれぞれ結合されるガイド結合部１１５が形成され、上記ガイド結合部１１５の外部は、下部に直接挿入される時、Ｏリングパッキングが挿入されることができるパッキング溝が形成された円筒状であることが好ましく、カラートナー貯蔵筒の場合、上記メインボディ１１ａ、１１ｂ、１１ｃ、１１ｄの上部形状は四角柱形状であることが４つの貯蔵筒を配置しやすい。
【００８７】
上記ガイド１２ａ、１２ｂ、１２ｃ、１２ｄの上部には上記メインボディ１１ａ、１１ｂ、１１ｃ、１１ｄの上記ガイド結合部１１５と結合されるメインボディ結合部１２５が形成され、上記メインボディ結合部１２５の内部にはＯリングパッキングが形成されて、上記メインボディ１１ａ、１１ｂ、１１ｃ、１１ｄを下部に押して結合されることができ、上記ガイド１２ａ、１２ｂ、１２ｃ、１２ｄの上記Ｏリングパッキングと上記メインボディ１１ａ、１１ｂ、１１ｃ、１１ｄのパッキング溝は互いに反対に変わることもできる。
【００８８】
上記トナー貯蔵筒１ａ、１ｂ、１ｃ、１ｄのメインボディ１１ａ、１１ｂ、１１ｃ、１１ｄは、詰め替えトナーを使い切った場合、上記メインボディ１１ａ、１１ｂ、１１ｃ、１１ｄを取り替えることができる構造で、上記メインボディ１１ａ、１１ｂ、１１ｃ、１１ｄの下部と上記ガイド１２ａ、１２ｂ、１２ｃ、１２ｄの上部は結合される構造であるか、上記ガイド１２ａ、１２ｂ、１２ｃ、１２ｄのメインボディ結合部１２５の内部にＯリングパッキングが形成されて、ガイド結合部１１５が挿入されると、上記Ｏリングパッキングによって漏れが発生しない構造である。
【００８９】
上記メインボディ１１ａ、１１ｂ、１１ｃ、１１ｄの下端にはトナーがこぼれ出ないように塞ぐ栓１１３が形成され、上記ガイド１２ａ、１２ｂ、１２ｃ、１２ｄに上記メインボディ１１ａ、１１ｂ、１１ｃ、１１ｄを回して結合させるか、下部に押して挿入させると、上記メインボディ１１ａ、１１ｂ、１１ｃ、１１ｄの上記栓１１３が上に上げられて、内部のトナーが下部に出る構造であることが好ましい。
【００９０】
上記栓１１３が設置されたアダプダを結合して、スプリングの張力によって上へ上げる方法でガイドとメインボディを結合すると、メインボディの栓が開かれる。
【００９１】
上記メインボディ１１ａ、１１ｂ、１１ｃ、１１ｄのガイド結合部１１５に上記栓１１３が設置されたアダプダを結合して、ガイド１２ａ、１２ｂ、１２ｃ、１２ｄに付着されたスプリングの張力によって上に上げる方法でガイド１２ａ、１２ｂ、１２ｃ、１２ｄとメインボディ１１ａ、１１ｂ、１１ｃ、１１ｄを結合すると、メインボディ１１ａ、１１ｂ、１１ｃ、１１ｄの栓１１３が開かれる。
【００９２】
上記ガイド１２ａ、１２ｂ、１２ｃ、１２ｄの下部には上記空気ポンプ３２で吐出される空気の一部が注入される空気注入口１２３が形成されて、上記空気ポンプ３２の吐出側の空気配管３３で分岐されて、上記空気注入口１２３に連結されることができるように空気注入配管３３１が形成される。
【００９３】
上記トナー貯蔵筒１の長手方向には、上記外筒２の本体２１に所定方向に挿入されるようにする挿入突起１１４が２ヶ所に対称に形成され、上記トナー貯蔵筒１の下部にはトナー詰め替え貯蔵タンクの荷重の一部を支持する支持バー１２４が形成され、上記支持バー１２４は上記主本体２１１の下部に突出された部分に上げられて、荷重を上記下部補強板オープニング２１１１２と一緒に分けて受ける。
【００９４】
図１１に示すように、レーザープリンターまたはコピー機のカラートナーカートリッジに自動的にトナーを供給する上記トナー供給手段３は、上記空気配管３３に設置されて、上記コントローラー３５１の信号によって上記空気ポンプ３２で吐出される空気を上記バルーン３１ａ、３１ｂ、３１ｃ、３１ｄの内部に供給したり、上記バルーン３１ａ、３１ｂ、３１ｃ、３１ｄ内の空気を排出させる制御バルブ３４ａ、３４ｂ、３４ｃ、３４ｄがさらに設置される。
【００９５】
上記制御バルブ３４ａ、３４ｂ、３４ｃ、３４ｄはソレノイドバルブタイプで、上記コントローラー３５１の信号によって電気的に開閉される構造である。
【００９６】
上記ガイド１２ａ、１２ｂ、１２ｃ、１２ｄの下部には上記空気ポンプ３２で吐出される空気の一部が注入されるそれぞれの空気注入口１２３ａ、１２３ｂ、１２３ｃ、１２３ｄが形成され、上記空気ポンプ３２の吐出側の空気配管３３で分岐されて上記空気注入口１２３ａ、１２３ｂ、１２３ｃ、１２３ｄに連結されるそれぞれの空気注入配管３３１が形成される。
【００９７】
上記バルーン３１ａ、３１ｂ、３１ｃ、３１ｄが膨脹された後、上記黒・赤・青・黄トナー貯蔵筒１ａ、１ｂ、１ｃ、１ｄの下部に空気を注入して、空気圧によってトナーがそれぞれの上記黒・赤・青・黄トナーカートリッジ５ａ、５ｂ、５ｃ、５ｄに供給されるようにするために、それぞれの上記空気注入配管３３１にはそれぞれの電動バルブ３３１１ａ、３３１１ｂ、３３１１ｃ、３３１１ｄが設置されて、上記コントローラー３５１の信号によって開閉される構造である。
【００９８】
上記空気ポンプ３２は正逆回転可能なタイプで、モーターの回転を変更して上記バルーン３１ａ、３１ｂ、３１ｃ、３１ｄに空気を注入したり、上記バルーン３１ａ、３１ｂ、３１ｃ、３１ｄ内の空気を排出させる構造である。
【００９９】
図示された実施例は、１台の上記空気ポンプ３２に空気分配機３３４を設置して、それぞれのバルーン３１ａ、３１ｂ、３１ｃ、３１ｄ内に供給したりバルーン内から空気を排出することを示す。この時、制御バルブ３４ａ、３４ｂ、３４ｃ、３４ｄが必要となり、黒色トナーを供給する際は、残り制御バルブ３４ｂ、３４ｃ、３４ｄは閉まり、黒色用制御バルブ３４ａのみ開かれて空気を供給し、排出する際にも、黒色用制御バルブ３４ａのみ開かれて、上記空気ポンプ３２を逆回転しながら空気を吸引して上記バルーン３１ａ内の空気を排出させて、上記バルーン３１ａが収縮されるようにして、上部にあるトナーが上記ガイド１２ａに移動し、設定された回数だけ膨脹と収縮を繰り返して、黒トナーカートリッジ５ａに黒色トナーを供給する。
【０１００】
上記トナー供給ホース４が５０ｃｍ以上に長い場合、上記バルーン３１ａ、３１ｂ、３１ｃ、３１ｄの膨脹のみではトナーを１００％供給することができないので、上記バルーン３１ａ、３１ｂ、３１ｃ、３１ｄが膨脹された時、上記空気注入配管３３１を通じて空気をさらに少し注入すれば、上記トナー供給ホース４の長さが約１００ｃｍで長くても、トナーを円滑に供給することができることは数多い試験結果から確認することができた。
【０１０１】
それぞれの上記バルーン３１ａ、３１ｂ、３１ｃ、３１ｄごとにそれぞれの空気ポンプ３２を設置することもでき、この時、上記制御バルブを使うこともでき、正逆回転タイプ空気ポンプ３２を使ってそれぞれのバルーン３１ａ、３１ｂ、３１ｃ、３１ｄ内に空気を供給したり、バルーンから空気を排出することができる。
【０１０２】
カラートナーカートリッジに自動的にトナーを供給するトナー供給手段３は、黒白レーザープリンターや黒白コピー機に使われる黒トナーのみ供給するトナー供給手段３と原理が同じである。従って、黒白レーザープリンターや黒白コピー機に使われる黒トナーのみ供給するトナー供給手段３で詳しく説明したので、本カラートナーカートリッジに自動的にトナーを供給するトナー供給手段３では詳細な説明を省略する。
【０１０３】
本発明によるトナーカートリッジに自動的にトナーを供給する装置は、使用中のレーザープリンター或はコピー機のカートリッジを本体から分離しないで不足するトナーを自動的に充填するので、本体からカートリッジを分離しなくてもトナーの充填することができて、非常に便利であり、また、メイン注入方法が体積変化によるので、誤作動を起こす確率がほとんどなく、トナー残量センサの使用時、常に適量のトナーがカートリッジ内にあるので、トナーの不足を防止して、安定したプリントができるという効果がある。
【図１】
0005938420.tif 000002
【図２】
0005938420.tif 000003
【図３】
0005938420.tif 000004
【図４】
0005938420.tif 000005
【図５】
0005938420.tif 000006
【図６】
0005938420.tif 000007
【図７】
0005938420.tif 000008
【図８】
0005938420.tif 000009
【図９】
0005938420.tif 000010
【図１０】
0005938420.tif 000011
【図１１】
0005938420.tif 000012